(57)【特許請求の範囲】
【請求項１】
建築現場などの構築体に沿って上部から吊り下げるようにして仮設する吊り階段において、門型をした一対の階段枠を所定間隔を設けて対向させ、対向する階段枠の間に補強材を配設して階段枠を自立させると共に、対向する階段枠の間に階段を掛け渡してクレーンにて吊り下げ可能なように一体化して階段ユニットを形成し、複数の前記階段ユニットをクレーンにてユニット単位で積み重ねて管体連結具により上下に連結し、連結した階段ユニットを階段ユニット取付け手段によって階段吊下げ用受梁に取り付けて吊り下げる一方、吊り下げた階段ユニットに新たに階段ユニットを継ぎ足す時には、地上にて別途組み立てた階段ユニットを階段吊下げ用受梁に取り付けた階段ユニットの上位に積み重ねて管体連結具により連結し、連結して一体となった階段ユニットをクレーンにより吊り上げて支持しながら階段吊下げ用受梁に階段ユニットを固定している階段ユニット取付け手段を解除し、一体となった階段ユニットを積み重ねた分だけ降下させた後、再び階段ユニット取付け手段によって階段ユニットを階段吊下げ用受梁に固定するように構成したことを特徴とする吊り階段。
【請求項２】
内部に階段を内装した階段ユニットを上下に連結して階段吊下げ用受梁より吊り下げた吊り階段において、吊り下げた階段ユニットに新たに階段ユニットを継ぎ足す時に、地上にて別途組み立てた階段ユニットを階段吊下げ用受梁に取り付けた階段ユニットの上位に積み重ねて連結し、連結して一体となった階段ユニットをクレーンにより吊り上げて支持しながら階段吊下げ用受梁に階段ユニットを固定している階段ユニット取付け手段を解除し、一体となった階段ユニットを積み重ねた分だけ降下させた後、再び階段ユニット取付け手段によって階段ユニットを階段吊下げ用受梁に固定するようにしたことを特徴とする吊り階段の仮設方法。
【発明の詳細な説明】
【０００１】
【産業上の利用分野】
本発明は、建築現場の構築体に沿って上部から吊り下げるようにして仮設する吊り階段及びその仮設方法に関する。
【０００２】
【従来の技術】
従来、建築現場で使用される吊り階段として、例えば特開昭５７−１１６８７０号公報に開示されているように、踊り場に一層分の階段を備えた階段ユニットを複数基チェーンにより一定の間隔を開けて連結して所定の長さの吊り階段とし、構築物に沿わせて吊り下げるようにしたものがある。
【０００３】
【発明が解決しようとする課題】
しかしながら、上記従来の吊り階段のようにチェーンにより吊り下げるようにしたものでは、吊り階段全体の剛性が乏しく左右上下に揺れ易く、構築物に沿って多数の揺れ止めを施す必要がある。
【０００４】
また、港湾の埋め立て工事等では海水を抜き取るにしたがって順次下方に足場を構築していくような工事があり、ここでは階段を下方に向けて簡単に継ぎ足すことのできる吊り階段が望まれている。
【０００５】
本発明は上記の点に鑑み、適度な剛性を有し、組み立て及び階段の継ぎ足しが容易にできるようにした吊り階段及びその仮設方法を提供することを目的とする。
【０００６】
【課題を解決するための手段】
本発明は上記の目的を達成するために、請求項１記載の吊り階段は、建築現場などの構築体に沿って上部から吊り下げるようにして仮設する吊り階段において、門型をした一対の階段枠を所定間隔を設けて対向させ、対向する階段枠の間に補強材を配設して階段枠を自立させると共に、対向する階段枠の間に階段を掛け渡してクレーンにて吊り下げ可能なように一体化して階段ユニットを形成し、複数の前記階段ユニットをクレーンにてユニット単位で積み重ねて管体連結具により上下に連結し、連結した階段ユニットを階段ユニット取付け手段によって階段吊下げ用受梁に取り付けて吊り下げる一方、吊り下げた階段ユニットに新たに階段ユニットを継ぎ足す時には、地上にて別途組み立てた階段ユニットを階段吊下げ用受梁に取り付けた階段ユニットの上位に積み重ねて管体連結具により連結し、連結して一体となった階段ユニットをクレーンにより吊り上げて支持しながら階段吊下げ用受梁に階段ユニットを固定している階段ユニット取付け手段を解除し、一体となった階段ユニットを積み重ねた分だけ降下させた後、再び階段ユニット取付け手段によって階段ユニットを階段吊下げ用受梁に固定するように構成したことを特徴としている。
【０００７】
また、請求項２記載の吊り階段の仮設方法は、内部に階段を内装した階段ユニットを上下に連結して階段吊下げ用受梁より吊り下げた吊り階段において、
吊り下げた階段ユニットに新たに階段ユニットを継ぎ足す時に、地上にて別途組み立てた階段ユニットを階段吊下げ用受梁に取り付けた階段ユニットの上位に積み重ねて連結し、連結して一体となった階段ユニットをクレーンにより吊り上げて支持しながら階段吊下げ用受梁に階段ユニットを固定している階段ユニット取付け手段を解除し、一体となった階段ユニットを積み重ねた分だけ降下させた後、再び階段ユニット取付け手段によって階段ユニットを階段吊下げ用受梁に固定するようにしたことを特徴としている。
【０００８】
【作用】
本発明の請求項１記載の吊り階段によれば、対向させた一対の門型の階段枠を自立するように補強材により補強し、この階段枠の間に階段を掛け渡してクレーンにて吊り下げ可能なように一体化して階段ユニットを形成し、複数の前記階段ユニットをクレーンにてユニット単位で積み重ねて管体連結具により上下に連結し、更に連結した階段ユニットを階段吊下げ用受梁に階段ユニット取付け手段により固定して吊り下げる一方、階段ユニットを継ぎ足す時には、別途組み立てた階段ユニットを階段吊下げ用受梁に取り付けた階段ユニットの上位に積み重ねて管体連結具により連結し、一体となった階段ユニットをクレーンにより吊り上げて支持しながら階段吊下げ用受梁に階段ユニットを固定している階段ユニット取付け手段を解除し、一体となった階段ユニットを積み重ねた分だけ降下させた後、再び階段ユニット取付け手段によって階段ユニットを階段吊下げ用受梁に固定するように構成したので、吊り階段に剛性を持たせることができ、左右及び上下の揺れを少なくすることができ、しかも組み立て式のユニットをクレーンにてユニット単位で積み重ねて連結するだけで吊り階段を形成することができるので吊り階段を迅速に構築することができ、また上記一連の操作によって容易に階段ユニットを継ぎ足すことができて工事の進行に迅速に対応することができる。
【０００９】
また、請求項２記載の吊り階段の仮設方法によれば、工事の進行に伴う構築物の高さや深さの変化に応じて階段ユニットを継ぎ足す時には、別途組み立てた階段ユニットを吊り上げて階段吊下げ用受梁に吊り下げた階段ユニットの上位に移送する。そして、管体連結具によって階段吊下げ用受梁側の階段ユニット上部とその上位に移送した階段ユニット下部とを連結し、移送した別の階段ユニットを吊り上げたままで階段吊下げ用受梁に固定している階段ユニット取付け手段を解除する。そして吊り上げている階段ユニットを連結した階段ユニット分だけ降下させ、再び階段吊下げ用受梁に階段ユニットを階段ユニット取付け手段により固定する。こうした一連の操作によって容易に階段ユニットを継ぎ足すことができて工事の進行に迅速に対応することができる。
【００１０】
【実施例】
以下本発明の実施例を図面に基づいて説明する。
【００１１】
図１は本発明吊り階段の一実施例を示す斜視図であって、組み立て式の階段ユニット１を上下に複数基連結して所定高さの階段を形成する一方、構築物（図示せず）に階段吊下げ用受梁２を配設し、該階段吊下げ用受梁２に階段ユニット取付け手段である階段ユニット固定金具３によって前記階段を取り付けて吊り下げたものである。
【００１２】
この吊り階段を形成する階段ユニット１について図２〜図４に基づいて詳しく説明すると、４は階段ユニット１の基礎枠であって、該基礎枠４は横桟５を一対平行に並べると共に、それぞれの横桟５の両端側面部に所定長さの短管からなる連結管６を上下両端部を開放状態として立設し、更に対向する連結管６同士を水平管７により連結し、四隅に連結管６を有した枠体に構成している。
【００１３】
そして前記基礎枠４を２個を所定の間隔を設けて並置し、この対向する基礎枠４の内側に面する連結管６には門型の階段枠８の建地８ａを、また外側に位置する連結管６には逆門型の手摺枠９の建地９ａを、管体連結具１０により連結して図４に示すようにボルト・ナット等の締結具１１により締結する。このとき管体連結具１０は連結管６に対して着脱可能としたものでも良いし、また予め連結管６に固着して連結管６と一体としたものでも良い。
【００１４】
次に、上部水平材１２と下部水平材１３との間に二本の斜材１４を固着した筋交１５を形成し、図４に示すように、筋交１５の下部水平材１３の両端部を対向するそれぞれの基礎枠４の内側に位置する横桟５の端部に重ね、下部水平材１３の端部と横桟５端部に穿設した透孔に挿通状にボルト１６を挿入し、ナット１７により締結する。
【００１５】
前記上部水平材１２には階段枠８及び手摺枠９のそれぞれの建地８ａ、９ａとの交叉部分にクランプ１８が固着してあり、該クランプ１８によってそれぞれの建地８ａ、９ａを掴むようにして階段枠８及び手摺枠９と筋交１５とを固着し、対向する両基礎枠４及び各基礎枠４に立設した階段枠８及び手摺枠９とを一体としている。
【００１６】
このように基礎枠４と階段枠８及び手摺枠９を筋交１５により一体化することによりこれらの組み合わせに適度な剛性を与えている。
【００１７】
そして一体化された階段枠８及び手摺枠９の内、対向する階段枠８の間には階段１９を掛け渡し、また基礎枠４の内、階段１９の下位部分に臨む基礎枠４には足場板２０を敷設して踊り場を形成して一層分の階段ユニット１を形成する。
【００１８】
この階段ユニット１を図５に示すように上下に配置すると、上位に位置する階段ユニット１の基礎枠４に配設した連結管６下端部と、下位に位置する階段ユニット１の階段枠８及び手摺枠９のそれぞれの建地８ａ、９ａ上端部とが対向するようになり、この連結管６と建地８ａ、９ａとを管体連結具１０によって連結することによって上下の階段ユニット１が一体化される。そして複数基の階段ユニット１を順次連結していけば所定高さの吊り階段を仮設することができるのである。
【００１９】
ここでも上下に配置した階段ユニット１同士を管体連結具１０により連結することで複数の階段ユニット１により構築される吊り階段の剛性を確保するようにしている。
【００２０】
次に、本発明の吊り階段を構築物に沿って吊り下げる手順を図６〜図１０に基づいて説明する。
【００２１】
先ず、図６に示すように吊り階段を設置しようとする構築物の上部付近に吊り階段を吊り下げる階段吊下げ用受梁２を二本配設する。
【００２２】
そして吊り階段の設置場所付近の地上にて工事現場に搬入した吊り階段の各部材を組み合わせて階段ユニット１を組み立てる。その手順は、図２〜図４に基づいて前述した通りである。
【００２３】
この階段ユニット１の筋交１５の上部水平材１２に階段ユニット固定金具３を取付け、クレーンにより吊り上げて階段を吊設する位置に配設した二本の受梁２の上位に移送し、階段ユニット１を二本の受梁２の間に挿入するようにして吊り降ろす。そして図７に示すように、階段ユニット１の上部水平材１２に取付けた階段ユニット固定金具３を受梁２上に載置してボルト・ナット等の締結具で固定する。
【００２４】
この時、予め地上にて階段ユニット１を何段にも連結しておき、その最上部の上部水平材１２に階段ユニット固定金具３を取付け、この階段ユニットを一度に受梁２に吊り下げるようにしても良い。
【００２５】
次に、受梁２に吊り下げている階段ユニット１に別の階段ユニット１´を追加して階段の段数を増やす場合について説明する。
【００２６】
先ず、地上にて別の階段ユニット１´を組み立て、それを図８に示すように、クレーンにて吊り上げて受梁２に吊り下げた階段ユニット１の上位に移送する。
【００２７】
この時、階段の方向が互いに同方向とならないように上位の階段ユニット１´を下位の階段ユニット１に対して１８０度回転させる。そして下位の階段ユニット１の階段枠８及び手摺枠９の建地８ａ、９ａと上位の階段ユニット１´の連結管６とを管体連結具１０によって連結する。
【００２８】
そして上下の階段ユニット１´、１の連結が完了すると、図９に示すように、上位の階段ユニット１´をクレーンによって吊り上げた状態で受梁２に固定した階段ユニット固定金具３を取り外して上位の階段ユニット１´の上部水平材１２に先程取り外した階段ユニット固定金具３を取り付ける。
【００２９】
そして図１０に示すように階段ユニット１´、１を降下させて上位の階段ユニット１´に取り付けた階段ユニット固定金具３を受梁２の上に載置して受梁２に固定する。
【００３０】
このようにして、階段吊下げ用受梁２に吊り下げている吊り階段に別の階段ユニットを順次継ぎ足して吊り階段の段数を増加していくのである。なお、追加する別の階段ユニットを一段として説明したが、追加する別の階段ユニットを予め何段にも連結しておいても良い。
【００３１】
【発明の効果】
以上のように本発明の請求項１記載の吊り階段にあっては、対向させた一対の門型の階段枠８を筋交１５等によって自立させて階段１９を掛け渡してクレーンにて吊り下げ可能なように一体化して階段ユニット１を形成し、この階段ユニット１をクレーンにてユニット単位で積み重ねて管体連結具１０によって上下に連結し、これを階段吊り下げ用受梁２に階段ユニット固定金具３を介して吊り下げて固定する一方、階段ユニットを継ぎ足す時には、別途組み立てた階段ユニット１´を階段吊下げ用受梁２に取り付けた階段ユニット１の上位に積み重ねて管体連結具１０により連結し、一体となった階段ユニットをクレーンにより吊り上げて支持しながら階段吊下げ用受梁２に階段ユニットを固定している階段ユニット固定金具３を解除し、一体となった階段ユニットを積み重ねた分だけ降下させた後、再び階段ユニット固定金具３によって階段ユニットを階段吊下げ用受梁２に固定するように構成したので、階段ユニット１はもとより、これを連結した吊り階段も簡単に組み立てることができ、手間のかからない迅速な仮設、及び階段の継ぎ足しを容易に行なうことができる。また、それらに適度な剛性を持たせることができ、仮設時の左右上下の揺れが少なくなり、更には、ばらばらに解体できて輸送、保管にも便利である。
【００３２】
また、請求項２記載の吊り階段の仮設方法にあっては、吊り下げた階段ユニット１に新たに階段ユニット１´を継ぎ足す時に、別途地上にて階段ユニット１´を組み立て、それを階段吊下げ用受梁２に取り付けた階段ユニット１の上位に積み重ねて連結し、連結して一体となった階段ユニットをクレーンにより吊り上げて階段ユニットを積み重ねた分だけ降下させるようにして下方への階段の継ぎ足しを行うようにしたので、吊り階段における階段の継ぎ足しを容易に、かつ安全に行なうことができる。
【図面の簡単な説明】
【図１】本発明に係る吊り階段の一実施例を示す斜視図である。
【図２】図１の階段ユニット部分の斜視図である。
【図３】図２の一部省略した分解図である。
【図４】図２の要部拡大図である。
【図５】階段ユニットの連結の様子を示す説明図である。
【図６】本発明に係る吊り階段の仮設手順を示す説明図である。
【図７】本発明に係る吊り階段の仮設手順を示す説明図である。
【図８】本発明に係る吊り階段の仮設手順を示す説明図である。
【図９】本発明に係る吊り階段の仮設手順を示す説明図である。
【図１０】本発明に係る吊り階段の仮設手順を示す説明図である。
【符号の説明】
１、１´…階段ユニット            ２…階段吊下げ用受梁
３…階段ユニット固定金具（階段ユニット取付け手段）
４…基礎枠                        ８…階段枠
１０…管体連結具                  １５…筋交
１９…階段
【図１】
0003671061.tif 000002
【図２】
0003671061.tif 000003
【図３】
0003671061.tif 000004
【図４】
0003671061.tif 000005
【図５】
0003671061.tif 000006
【図６】
0003671061.tif 000007
【図７】
0003671061.tif 000008
【図８】
0003671061.tif 000009
【図９】
0003671061.tif 000010
【図１０】
0003671061.tif 000011